(57)【要約】【課題】直流変換回路の出力電圧とインバータ回路の出力周波数との制御の組合せの自由度を高めながらも組立に用いる部品点数が比較的少なく、しかもノイズの影響を受けにくい放電灯点灯装置を提供する。【解決手段】直流変換回路３の出力電圧とインバータ回路４の出力周波数とをマイクロコンピュータ１５により制御する。マイクロコンピュータ１５は、直流変換回路３の出力電圧とインバータ回路４の出力周波数とをそれぞれ放電ランプ９の光出力の連続調光を可能とする多段階で調光度に対応付けて格納したデータテーブル１６と、外部からの指示により調光を行う際のモードを選択するモード識別手段１５ａとを備える。モード識別手段１５ａは、選択したモードに応じて直流変換回路３およびインバータ回路４のスイッチング素子のオンオフを制御するデータの組をデータテーブル１６内から選択する。【選択図】        図１
2005050672.tif 000002
【特許請求の範囲】
【請求項１】
直流電圧を出力するとともにスイッチング素子の制御により出力電圧が可変である直流変換回路と、直流変換回路の出力電圧を直流変換回路とは別のスイッチング素子を用いて高周波電圧に変換し放電ランプを含む負荷回路に供給するインバータ回路と、直流変換回路とインバータ回路とのスイッチング素子のオンオフを制御するマイクロコンピュータとを備え、マイクロコンピュータは、直流変換回路の出力電圧とインバータ回路の出力周波数とをそれぞれ放電ランプの光出力の連続調光を可能とする多段階で調光度に対応付けて格納したデータテーブルと、外部からの指示により調光を行う際のモードを選択するモード識別手段とを備え、モード識別手段が選択したモードに応じて直流変換回路およびインバータ回路のスイッチング素子のオンオフを制御するデータの組をデータテーブル内から選択することを特徴とする放電灯点灯装置。
【請求項２】
前記マイコンは、所要の目的に従って前記放電ランプの光出力を時間経過に伴って変化させるようにプログラムされたアプリケーションを実行する機能を有し、前記モード選択手段が外部からの指示によってアプリケーションが選択されると、マイコンはアプリケーションの動作に従って前記データテーブルからデータの組を選択することを特徴とする請求項１記載の放電灯点灯装置。
【発明の詳細な説明】
【技術分野】
【０００１】
本発明は、放電灯点灯装置に関するものである。
【背景技術】
【０００２】
従来から提供されている放電灯点灯装置として図７に示す構成のものがある。この構成では、整流回路２により商用電源のような交流電源１を整流し、昇圧形のチョッパ回路などを用いたＤＣ−ＤＣコンバータからなる直流変換回路３により整流回路２の出力電圧を昇圧した後、整流回路２から出力される直流電圧をインバータ回路４に入力し、インバータ回路４から極性の交番する高周波電圧（交流電源１の周波数よりも十分に高い周波数）を出力するように構成されている。インバータ回路４から出力される高周波電圧は、インダクタ７とコンデンサ８と予熱形の放電ランプ（以下、ランプと略称する）９とからなる負荷回路に印加される。直流変換回路３の出力電圧およびインバータ回路４の出力周波数は可変になっている。ここに、交流電源１と整流回路２との間にフィルタ回路を設けて直流変換回路３やインバータ回路４で発生する高周波が交流電源１に混入するのを防止し、直流変換回路３として昇圧形のチョッパ回路を用いることにより、交流電源１からの入力電流波形の歪みを低減することができる。
【０００３】
コンデンサ８はランプ９に設けた両フィラメントの一端間（非電源側端間）に接続され、さらにランプ９に設けた一方のフィラメントの他端がインダクタ７を介してインバータ回路４の一方の出力端に接続されるとともに、他方のフィラメントの他端がインバータ回路４の他方の出力端に接続される。インダクタ７とコンデンサ８とは共振回路を構成し、この共振回路の共振周波数は、インバータ回路４の出力周波数に応じてランプ９の両フィラメント間に印加される電圧および両フィラメントを通過する電流が変化するように設定される。ここに、直流変換回路３の出力電圧は電圧制御回路６により制御され、インバータ回路４の出力周波数は発振周波数制御回路５により制御される。電圧制御回路６と発振周波数制御回路５とは、ランプ９を調光する際に図８に示すような特性で連動する。すなわち、ランプ９の点灯状態において、ランプ９の光出力を大きく（調光度を浅く）するには、直流変換回路３の出力電圧を高く設定するとともにインバータ回路４の出力周波数を低く設定し、ランプ９の光出力を小さく（調光度を深く）するには、直流変換回路３の出力電圧を低く設定するとともにインバータ回路４の出力周波数を高く設定する（たとえば、特許文献１参照）。
【０００４】
一方、放電灯点灯装置としては、図９に示す構成も知られている。図９に示す構成は、現在市場に広く供されている商品の構成を概念的に示したものであって、図７に示した構成に赤外線を媒体とするワイヤレス信号を受信してランプ９の点灯状態を変化させる機能を付加したものである。すなわち、図示しないリモコン送信器からのワイヤレス信号を受信する光電変換素子を備えるリモコン受光部１０と、リモコン受光部１０から出力されたリモコン信号（ワイヤレス信号を電気信号に変換し波形整形した信号）を用いてリモコン送信器からの指示内容を認識するとともに指示内容に応じたパルス幅のパルス信号を出力するリモコン信号処理部１１と、リモコン信号処理部１１から出力されたパルス信号をパルス幅に応じた電圧の電圧信号に変換するパルス幅−電圧変換部１２とを備える。パルス幅−電圧変換部１２から出力された電圧信号は発振周波数制御回路５に与えられ、インバータ回路４の出力周波数が電圧信号に応じて制御される。電圧制御回路６は発振周波数制御回路５に連動して動作する。
【０００５】
リモコン信号処理部１１はマイクロコンピュータ（以下、マイコンと略称する）を用いて構成され、リモコン信号の指示内容としてオンオフや調光を認識する。リモコン信号処理部１１から出力されるパルス信号をパルス幅−電圧変換部１２において電圧信号に変換しているのは、リモコン信号処理部１１のクロック周波数と発振周波数制御回路５の動作周波数とが異なるからであって、リモコン信号処理部１１と発振周波数制御回路５との間で電圧信号を用いることにより、両者を同期させることなく情報の伝達が可能になる。なお、図９に示す回路構成では、発振周波数制御回路５とインバータ回路４との間にレベルシフタ・ドライバ１３を設け、発振周波数制御回路５の出力をインバータ回路４に設けたスイッチング素子に適合させている。
【０００６】
リモコン信号処理部１１から出力されるパルス信号Ｖｏ１と、パルス幅−電圧変換部１２から出力される電圧信号Ｖｏ２と、発振周波数制御回路５から出力されるインバータ回路４の制御に用いる信号Ｖｉｎｖとの関係を図１０に示す。図１０において期間ｔ０〜ｔ１はランプ９の光出力（つまり、ランプ９への供給電力）が比較的大きい状態を示しており、期間ｔ２〜ｔ３はランプ９の光出力が比較的小さい状態を示している。
【０００７】
期間ｔ０〜ｔ１のようにランプ９の光出力を大きくする際には、図１０（ａ）のようにリモコン信号処理部１１から出力されるパルス信号Ｖｏ１のオン期間が長くなり、図１０（ｂ）のようにパルス幅−電圧変換部１２から出力される電圧信号Ｖｏ２は低くなる。この電圧信号Ｖｏ２に対して、図１０（ｃ）のように発振周波数制御回路５から出力される信号Ｖｉｎｖは比較的低い周波数（デューティ比は５０％とする）になる。つまり、インバータ回路４の出力周波数は比較的低い周波数になり、ランプ９への供給電力は比較的多くなる。一方、期間ｔ２〜ｔ３のようにランプ９の光出力を小さくする際には、図１０（ａ）のようにリモコン信号処理部１１から出力されるパルス信号Ｖｏ１のオン期間が期間ｔ０〜ｔ１よりも短くなり、図１０（ｂ）のようにパルス幅−電圧変換部１２から出力される電圧信号Ｖｏ２は期間ｔ０〜ｔ１よりも高くなる。この電圧信号Ｖｏ２に対して、図１０（ｃ）のように発振周波数制御回路５から出力される信号Ｖｉｎｖは比較的高い周波数になり、インバータ回路４の出力周波数は比較的高い周波数となって、ランプ９への供給電力は比較的少なくなる。インバータ回路４の出力周波数を高くする際には、電圧制御回路６を介して直流変換回路３のスイッチング素子のオン期間を短くし、直流変換回路３の出力電圧を低下させる。
【特許文献１】特開平５−２５８８８９号公報
【発明の開示】
【発明が解決しようとする課題】
【０００８】
上述した特許文献１に記載の技術では、調光を行う際にインバータ回路４の出力周波数と直流変換回路３の出力電圧とを連動させて制御しており、インバータ回路４を制御する発振周波数制御回路５と直流変換回路３を制御する電圧制御回路６とを連携させている。ただし、発振周波数制御回路５と電圧制御回路６との連携関係は図８に示したような関係に固定的に設定されており、たとえば発振周波数制御回路５と電圧制御回路６とを独立させて各別に動作させたり、両者を異なる関係で連携させることができないという問題がある。その結果、直流変換回路３の出力電圧を一定に保ったままインバータ回路４の出力周波数のみを変化させて調光を行なうような応用的な動作は行うことができないという問題がある。また、直流変換回路３を制御する電圧制御回路６とインバータ回路４を制御する発振周波数制御回路５とを各別に設けているものであるから、電圧制御回路６と発振周波数制御回路５との間の接続線が比較的長くなって両者を連携させる際に接続線からのノイズの混入によって、電圧制御回路６と発振周波数制御回路５とを所望の関係で連携させることができない場合が生じる。
【０００９】
また、図９に示した構成では、リモコン信号をパルス信号Ｖｏ１に変換した後に電圧信号Ｖｏ２に変換し、さらに電圧信号からインバータ回路４を動作させるための信号Ｖｉｎｖに変換しているから、比較的大きな変換誤差が生じる可能性があり、結果的に調光レベルを他段階に制御しようとするような場合には、ランプ９の光出力をリモコン送信器からの指示値に一致させることができない可能性がある。また、ワイヤレス信号からインバータ回路４を動作させる信号Ｖｉｎｖを生成するまでの回路が比較的複雑であるから、部品点数が多く、実装面積が増加したりコストが増大したりするという問題を有している。
【００１０】
さらに、いずれの構成においても、壁に設置した壁スイッチを用いてオンオフや調光段階を指示する機能と、引き紐で操作されるプルスイッチを用いてオンオフや調光段階を指示する機能との少なくとも一方を備えるのが一般的であるから、これらの操作に対応するためのインターフェースが必要であって、インターフェースを設けることによってノイズが増加したり部品点数が増加したりする可能性が生じる。
【００１１】
本発明は上記事由に鑑みて為されたものであり、その目的は、直流変換回路の出力電圧とインバータ回路の出力周波数との制御の組合せの自由度を高めながらも組立に用いる部品点数が比較的少なく、しかもノイズの影響を受けにくい放電灯点灯装置を提供することにある。
【課題を解決するための手段】
【００１２】
請求項１の発明は、直流電圧を出力するとともにスイッチング素子の制御により出力電圧が可変である直流変換回路と、直流変換回路の出力電圧を直流変換回路とは別のスイッチング素子を用いて高周波電圧に変換し放電ランプを含む負荷回路に供給するインバータ回路と、直流変換回路とインバータ回路とのスイッチング素子のオンオフを制御するマイクロコンピュータとを備え、マイクロコンピュータは、直流変換回路の出力電圧とインバータ回路の出力周波数とをそれぞれ放電ランプの光出力の連続調光を可能とする多段階で調光度に対応付けて格納したデータテーブルと、外部からの指示により調光を行う際のモードを選択するモード識別手段とを備え、モード識別手段が選択したモードに応じて直流変換回路およびインバータ回路のスイッチング素子のオンオフを制御するデータの組をデータテーブル内から選択することを特徴とする。
【００１３】
この構成によれば、直流変換回路の出力電圧とインバータ回路の出力周波数との組合せをデータテーブルによって設定することができるから、従来構成のように両者の関係が固定的に設定されている場合に比較して両者の関係を容易に変更することができ、結果的に両者の関係の自由度が高くなる。しかも、マイクロコンピュータにより直流変換回路とインバータ回路とを制御することによって、従来の電圧制御回路と発振周波数制御回路が不要になり、組立に用いる部品点数の削減が可能になる。しかも、マイクロコンピュータの内部で直流変換回路とインバータ回路との動作の連携を可能としているから、従来構成のような連携動作のための接続線が不要であって、ノイズの影響を受けにくくなる。その上、連続調光のための多段階のデータを設定したデータテーブルを用い、モード識別手段に外部から指示を与えることによって、同じデータテーブルを用いながらも連続調光や段調光を可能とするから、種々機能の放電灯点灯装置を同構成で提供することができ、部品の共用による生産効率の向上が期待できる。
【００１４】
請求項２の発明は、請求項１の発明において、前記マイコンが、所要の目的に従って前記放電ランプの光出力を時間経過に伴って変化させるようにプログラムされたアプリケーションを実行する機能を有し、前記モード選択手段が外部からの指示によってアプリケーションが選択されると、マイコンはアプリケーションの動作に従って前記データテーブルからデータの組を選択することを特徴とする。
【００１５】
この構成によれば、アプリケーションを実行する際にも連続調光用に設定したデータテーブルを用いて放電ランプの光出力を制御することができ、しかもマイクロコンピュータでアプリケーションを実行するから、部品を追加することなく高機能化が可能になる。
【発明の効果】
【００１６】
本発明の構成によれば、直流変換回路の出力電圧とインバータ回路の出力周波数との組合せをデータテーブルによって設定することができるから、従来構成のように両者の関係が固定的に設定されている場合に比較して両者の関係を容易に変更することができ、結果的に両者の関係の自由度が高くなる。しかも、マイクロコンピュータにより直流変換回路とインバータ回路とを制御することによって、従来の電圧制御回路と発振周波数制御回路が不要になり、組立に用いる部品点数の削減が可能になる。しかも、マイクロコンピュータの内部で直流変換回路とインバータ回路との動作の連携を可能としているから、従来構成のような連携動作のための接続線が不要であって、ノイズの影響を受けにくくなるという利点がある。その上、連続調光のための多段階のデータを設定したデータテーブルを用い、モード識別手段に外部から指示を与えることによって、同じデータテーブルを用いながらも連続調光や段調光を可能とするから、種々機能の放電灯点灯装置を同構成で提供することができ、部品の共用による生産効率の向上が期待できるという利点がある。
【発明を実施するための最良の形態】
【００１７】
（実施形態１）
本実施形態の要部構成を図１に示す。図１では、主として直流変換回路３およびインバータ回路４の制御に関わる部分の構成を示しており、交流電源１および整流回路２は図では省略してある。また、本実施形態も従来構成と同様に、直流変換回路３の出力電圧をインバータ回路４により高周波電圧に変換するが、図では直流変換回路３とインバータ回路４との間の経路は図では省略してある。直流変換回路３の電源である直流電源は、交流電源１と整流回路２との組合せではなく電池のような他の直流電源に代えてもよい。直流変換回路３としては、たとえば昇圧形のチョッパ回路を想定し、インバータ回路４としては、たとえばハーフブリッジ形のものを想定する。
【００１８】
本実施形態では、直流変換回路３に設けたスイッチング素子（図示せず）とインバータ回路４に設けたスイッチング素子（図示せず）とを、マイクロコンピュータ（以下、マイコンと略称する）１５により制御する。直流変換回路３はマイコン１５に設けたＩ／ＯポートＰ２に直結し、インバータ回路４はマイコン１５に設けたＩ／ＯポートＰ３にレベルシフタ・ドライバ１３を介して接続する。レベルシフタ・ドライバ１３は、マイコン１５の出力電圧をインバータ回路４のスイッチング素子の制御電圧に適合させるために設けてある。
【００１９】
マイコン１５には、ワイヤレス信号を受信し波形整形を行うリモコン回路１４を接続するＩ／ＯポートＰ１と、連続調光（１段階の光出力の変化が人に認識できないように光出力を変化させる調光）を行うか否かの切換信号Ｓ１が外部から入力されるＩ／ＯポートＰ４とが設けられる。リモコン回路１４は、従来構成においてリモコン受光部１０として示した構成と同様の機能を有し、リモコン送信器からの赤外線を媒体とするワイヤレス信号を受信し、ワイヤレス信号の波形整形を行った電気信号であるリモコン信号を出力する。ここに、ワイヤレス信号は、赤外線を伝送媒体としてデジタル変調を行った信号であって、リモコン送信器の指示内容を伝送する。マイコン１５の内部では、リモコン回路１４からのリモコン信号を受けて直流変換回路３およびインバータ回路４への制御信号を生成し、従来構成のようにリモコン信号を電圧信号に変換する処理を行わずに、パルス列であるリモコン信号から、直流変換回路３およびインバータ回路４のスイッチング素子をオンオフする信号をデジタル処理によって生成する。したがって、リモコン送信器からのリモコン信号による指示内容に対して誤差をほとんど含まない制御信号（直流変換回路３およびインバータ回路４への制御信号）を生成することが可能になる。
【００２０】
マイコン１５には、Ｉ／ＯポートＰ４からの切換信号Ｓ１の入力の有無を識別するモード識別手段１５ａが設けられる。モード識別手段１５ａでは、切換信号Ｓ１の入力がなければ、リモコン回路１４からのリモコン信号の指示内容によりランプ９のオンオフのみを行うモードでマイコン１５を動作させ、切換信号Ｓ１が入力されていると、リモコン回路１４からのリモコン信号の指示内容をランプ９のオンオフおよび連続調光として認識するモードでマイコン１５を動作させる。連続調光の際には、リモコン信号を制御信号に変換するために図１（ｂ）のようなデータテーブル１６が用いられる。データテーブル１６は、直流変換回路３を制御する制御信号を生成するための第１テーブル１６ａと、インバータ回路４を制御する制御信号を生成するための第２テーブル１６ｂとを各別に備える。つまり、連続調光の際には、データテーブル１６を用いることによって、リモコン信号に含まれる調光レベルを指示するデータを、直流変換回路３のスイッチング素子のオン期間（オンデューティ）を求めるとともに、インバータ回路４のスイッチング素子のオンオフの周波数を求める。マイコン１５の内部には、第１テーブル１６ａで得られたオンデューティのパルスを生成するパルス生成部（図示せず）と、第２テーブル１６ｂで得られた周波数のパルスを生成するパルス生成部（図示せず）とが設けられており、１つのリモコン信号から２種類のパルスを生成し、それぞれ直流変換回路３とインバータ回路４とへの制御信号として出力する。
【００２１】
マイコン１５においてリモコン信号から制御信号を生成する動作についてさらに詳しく説明する。Ｉ／ＯポートＰ４に切換信号Ｓ１が入力されマイコン１５が連続調光を行うモードで動作しているものとする。マイコン１５では、連続調光の際の調光度を指示するデータビット列をリモコン信号から抜き出し、データテーブル１６と照合する。第１テーブル１６ａおよび第２テーブル１６ｂには、それぞれ直流変換回路３とインバータ回路４との制御範囲の上限と下限との間の範囲内の出力値が、連続調光を可能とする多段階で調光度に対応付けて格納されている。第１テーブル１６ａから抽出されたデータは、マイコン１５に内蔵したプリセットカウンタに与えられ、第１テーブル１６ａから読み出した個数のクロック信号を計数することによって、第１テーブル１６ａから読み出したデータに対応するオンデューティの制御信号を直流変換回路３に与える。また、第２テーブル１６ｂから抽出されたデータは、マイコン１５に内蔵した分周器に与えられ、第２テーブル１６ｂから読み出したデータに対応する周波数の制御信号をインバータ回路４に与える。図示例では第１テーブル１６ａを構成するデータ群（ｘ１〜ｘｍ）と第２テーブル１６ｂを構成するデータ群（ｙ１〜ｙｎ）とを設けてある。
【００２２】
上述したように、データテーブル１６において、リモコン信号により含まれる１つのデータビット列から直流変換回路３とインバータ回路４とにそれぞれ対応した制御信号を生成するから、データテーブル１６の内容に応じてチョッパ回路３の動作とインバータ回路４の動作とを任意に設定することが可能になる。しかも、データテーブル１６を用いることによって、リモコン信号を電圧信号に変換する必要がないから、リモコン信号のデータビット列から制御信号をデジタルデータによって生成するから、リモコン送信器からのワイヤレス信号に対して誤差のほとんど生じない制御信号を生成することが可能になる。しかも、直流変換回路３とインバータ回路４との動作を連携させるにあたって、マイコン１５に設けたデータテーブル１６で連携させ、連携させるための接続線などが不要であるから、直流変換回路３とインバータ回路４との動作の組合せがノイズによって変動することがなく、直流変換回路３の出力電圧とインバータ回路４の出力周波数との組合せを設計通りに精度よく制御することが可能になる。しかも、従来構成に比較すると、発振周波数制御回路５、電圧制御回路６が不要であって、図９に示した従来構成に比較すると、リモコン信号処理部１１およびパルス幅−電圧変換部１２も不要であって、結果的に組立時の部品点数ないし実装部品の部品点数が従来構成よりも低減される。
【００２３】
（実施形態２）
実施形態１はマイコン１５のＩ／ＯポートＰ４に切換信号Ｓ１を入力する構成を採用しており、たとえば切換信号Ｓ１をスイッチの操作等によってマイコン１５に入力することを想定していたが、本実施形態は、リモコン回路１４からのリモコン信号によって切換信号Ｓ１をマイコン１５に与えるようにしている。つまり、リモコン送信器からの指示によって連続調光を選択することができる。したがって、Ｉ／ＯポートＰ４が不要になっている。
【００２４】
本実施形態の構成では、切換信号Ｓ１がＩ／ＯポートＰ１に入力されていないときに最大出力となるように構成しておけば、切換信号Ｓ１を与えないリモコン送信器を用いることで、調光を行わないように機能を制限することが可能になる。つまり、本実施形態の放電灯点灯装置を用いた照明器具を構成すれば、連続調光が可能な照明器具と連続調光を行わない調光器具とをリモコン送信器の相違のみで実現できる。要するに、同構成で異なる照明器具として機能させることができ、部品の共用化による生産効率の向上が期待できる。他の構成および動作は実施形態１と同様である。
【００２５】
（実施形態３）
実施形態１では、マイコン１５のＩ／ＯポートＰ４に与える切換信号Ｓ１によって連続調光を行うモードを選択し、切換信号Ｓ１がなければランプ９のオンオフのみを行うように構成していたが、本実施形態はＩ／ＯポートＰ４に与える切換信号Ｓ１により段調光を行うモードを選択し、切換信号Ｓ１がなければランプ９のオンオフのみを行うように構成したものである。
【００２６】
すなわち、リモコン信号による段調光の各段階をデータテーブル１６のいずれかのデータに対応付けるのである。たとえば、全点灯時には全点灯に相当するデータの組（ｘ１，ｙ１）を選択し、段調光時には調光比に応じたデータの組（ｘ３，ｙ４）を選択する。この構成では、リモコン信号の指示内容をデータテーブル１６のデータに対応付けるようにマイコン１５の動作を変更するだけで段調光を行うことが可能になる。つまり、連続調光を行うマイコン１５と略同様の構成で段調光に対応することが可能になる。なお、段調光では連続調光よりもデータテーブル１６のデータ量を少なくすることができるから、データテーブル１６の容量を小さくしてもよい。本実施形態も実施形態３と同様にマイコン１５のＩ／ＯポートＰ１に入力されるリモコン信号によって、段調光を行うモードと段調光を行わないモードとの切換を行うようにしてもよい。他の構成および動作は実施形態１と同様である。
【００２７】
（実施形態４）
本実施形態は、マイコン１５のＩ／ＯポートＰ４に入力する切換信号Ｓ１によって、連続調光のモードと段調光のモードとを選択可能としたものである。ここでは、モード識別手段１５ａが、Ｉ／ＯポートＰ４への印加電圧によって連続調光か段調光かを識別するように構成している。たとえば、Ｉ／ＯポートＰ４に切換信号Ｓ１として高電圧が印加されると連続調光を選択し、低電圧が印加されると段調光を選択する。また、切換信号Ｓ１が印加されないときにはランプ９のオンオフのみを行うようにすればよい。
【００２８】
本実施形態の構成では、段調光のモードと連続調光のモードとを切替信号Ｓ１のみで選択することができ、段調光を行う放電灯点灯装置と連続調光を行う放電灯点灯装置との構成を共用化することができるから、本実施形態の放電灯点灯装置を用いた照明器具は、段調光用と連続調光用とに兼用することができる。他の構成および動作は実施形態１と同様である。
【００２９】
（実施形態５）
本実施形態は、実施形態３の構成からリモコン回路１４を省略したものであって、段調光の各段階は壁スイッチなどのスイッチを用いて指定する。つまり、マイコン１５にはスイッチを接続するＩ／Ｏポートを設け、所定時間内に続けて２回操作したときに調光段階を１段階変化させる機能をマイコン１５に持たせる。他の構成および動作は実施形態３と同様である。
【００３０】
（実施形態６）
本実施形態は、図２に示すように、基本的には実施形態５の構成と同様であってリモコン回路１４を設けていないものであるが、実施形態５では実施形態３と同様に切換信号Ｓ１をＩ／ＯポートＰ４に入力する構成であったのに対して、本実施形態ではＩ／ＯポートＰ４を省略し、壁スイッチなどのスイッチを選択するＩ／ＯポートＰ５を段調光のモードを選択に兼用している。つまり、Ｉ／ＯポートＰ５に段調光のモードを指示する切換信号Ｓ２が入力された状態では段調光のモードで動作し、Ｉ／ＯポートＰ５に切換信号Ｓ２が入力されていなければランプ９を全点灯させる。他の構成および動作は実施形態５と同様である。
【００３１】
（実施形態７）
本実施形態は、実施形態６のＩ／ＯポートＰ５に代えて実施形態１においてリモコン回路１４を接続していたＩ／ＯポートＰ１を用い、Ｉ／ＯポートＰ１には全点灯を行うか否かの切換信号を入力するようにしたものである。本実施形態では、調光制御は行わず、Ｉ／ＯポートＰ１に全点灯を指定する切換信号が入力されたときに、データテーブル１６から全点灯に対応するデータの組（ｘ１，ｙ１）を選択し、ランプ９を全点灯させる。他の構成および動作は実施形態５と同様である。
【００３２】
（実施形態８）
本実施形態は、図３に示す構成を有し、実施形態３の構成に対して段調光の各段階における光出力（データテーブル１６のデータの組）を選択する機能を付加したものである。図示例では、マイコン１５に設けた３個のＩ／ＯポートＰ６〜Ｐ８に与える選択信号Ｓ３〜Ｓ５の組合せによってデータテーブル１６のデータの組を選択するようにしてある。また、マイコン１５は、Ｉ／ＯポートＰ５に切換信号Ｓ２が入力されると段調光のモードで動作する。
【００３３】
本実施形態では、Ｉ／ＯポートＰ６〜Ｐ８に入力する選択信号Ｓ３〜Ｓ５の組合せによって、データテーブル１６から段調光時のデータの組を選択するモードに移行させ、段調光のどの段階でどのデータの組を採用するかをプリセットし、データの組を選択するモードを解除することができるようになっている。段調光で採用するデータの組をプリセットした後には、Ｉ／ＯポートＰ５に段調光を指示する切換信号Ｓ２が入力され、リモコン回路１４からのリモコン信号によって段調光の段階が指定されると、プリセットされたデータの組が読み出されて段調光が行われる。他の構成および動作は実施形態３と同様である。
【００３４】
（実施形態９）
本実施形態は、図４に示すように、図３に示した実施形態８の構成からＩ／ＯポートＰ６〜Ｐ８による段調光の光出力をプリセットする機能を省略し、マイコン１５を連続調光のモードで動作させるか段調光のモードで動作させるかを選択するための２個のＩ／ＯポートＰ４，Ｐ４′を設けたものである。各Ｉ／ＯポートＰ４，Ｐ４′には連続調光を選択するための切換信号Ｓ１と段調光を選択するための切換信号Ｓ１′とがそれぞれ入力される。つまり、Ｉ／ＯポートＰ４，Ｐ４′のいずれか一方にのみ切換信号Ｓ１，Ｓ１′が入力されるときには、それぞれ連続調光あるいは段調光として動作し、両Ｉ／ＯポートＰ４，Ｐ４′のいずれにも切換信号Ｓ１，Ｓ１′が入力されないときには、リモコン回路１４が接続されておらず全点灯のみが可能な放電灯点灯装置として動作する。
【００３５】
リモコン回路１４からはＩ／ＯポートＰ１に対してオンオフと連続調光の際の調光度と段調光の際の段階との指示が可能であり、段調光用のＩ／ＯポートＰ５に入力される切換信号Ｓ２では段調光の段階を指定することができる。なお、Ｉ／ＯポートＰ５に対して壁スイッチを接続し、オンオフの指示のほか所定時間内で壁スイッチを２回操作したときに段調光の段階を１段階変化させる動作を可能としてもよい。他の構成および動作は実施形態１と同様である。
【００３６】
（実施形態１０）
本実施形態は、図５に示すように、実施形態９の構成からＩ／ＯポートＰ４，Ｐ４′を省略したものであって、リモコン回路１４からのリモコン信号により連続調光と段調光との動作を選択可能としたものである。他の構成および動作は実施形態９と同様である。
【００３７】
（実施形態１１）
本実施形態は、図６に示すように、マイコン１５に対して連続調光と段調光との切換の指示をリモコン回路１４から行うものであって、基本的には実施形態１０の構成と共通している。ただし、本実施形態では、所要の目的に従ってランプ９の光出力を時間経過に伴って変化させるようにプログラムされたアプリケーション１５ｂがマイコン１５に組み込まれ、マイコン１５はアプリケーション１５ｂを実行する機能を有している。アプリケーション１５ｂとしては、睡眠から快適に覚醒させるために、ランプ９の光出力を低出力から時間経過とともに徐々に増加させたり、逆に睡眠に誘導するために、ランプ９の光出力を時間経過に伴って徐々に減少させたりする動作を可能としている。アプリケーション１５ｂは複数種類を用意しておき、照明環境の各シーンに応じて適宜のアプリケーション１５ｂを選択するのが望ましい。ここに、アプリケーション１５ｂの選択はリモコン送信器から指示し、モード識別手段１５ａが指示内容に応じてアプリケーション１５ｂを選択する。マイコン１５はアプリケーション１５ｂの実行時にデータテーブル１６からデータの組を選択してランプ９の光出力を制御する。なお、アプリケーション１５ｂの種類を増やす場合や、タイムスケジュールによってアプリケーション１５ｂを選択する動作を可能とするような場合であって、マイコン１５に内蔵したメモリの容量が不足する場合には、マイコン１５にメモリ１７を外付すればよい。他の構成および動作は実施形態１と同様である。
【００３８】
なお、上述した各実施形態において直流変換回路３は昇圧形のチョッパ回路を想定し、インバータ回路４にはハーフブリッジ形のものを想定したが、直流変換回路３およびインバータ回路４として他の構成のものを用いてもよいのはもちろんのことである。また、ランプ９についても１灯に限らず複数灯であってもよい。
【図面の簡単な説明】
【００３９】
【図１】（ａ）は実施形態１を示すブロック図、（ｂ）は同上に用いるデータテーブルの図である。
【図２】実施形態６を示すブロック図である。
【図３】実施形態８を示すブロック図である。
【図４】実施形態９を示すブロック図である。
【図５】実施形態１０を示すブロック図である。
【図６】実施形態１１を示すブロック図である。
【図７】従来例を示すブロック図である。
【図８】同上の動作説明図である。
【図９】他の従来例を示すブロック図である。
【図１０】同上の動作説明図である。
【符号の説明】
【００４０】
３  直流変換回路
４  インバータ回路
９  放電ランプ（ランプ）
１５  マイクロコンピュータ（マイコン）
１５ａ  モード識別手段
１５ｂ  アプリケーション
１６  データテーブル
【図１】
2005050672.tif 000003
【図２】
2005050672.tif 000004
【図３】
2005050672.tif 000005
【図４】
2005050672.tif 000006
【図５】
2005050672.tif 000007
【図６】
2005050672.tif 000008
【図７】
2005050672.tif 000009
【図８】
2005050672.tif 000010
【図９】
2005050672.tif 000011
【図１０】
2005050672.tif 000012